(57)【特許請求の範囲】
【請求項１】
眼鏡レンズ加工用装置であって、
眼鏡フレームを撮影するための撮像光学系と、
眼鏡フレームの玉型データを取得する玉型取得手段と、
前記撮像光学系によって撮影された眼鏡フレームの画像データと、前記玉型取得手段によって取得された、眼鏡レンズを加工するために用いられる玉型データとを関連付けて記憶手段に記憶させる情報処理手段と、を備えることを特徴とする眼鏡レンズ加工用装置。
【請求項２】
眼鏡フレームを載置するための載置部をさらに備え、
前記撮像光学系は、前記載置部に載置された眼鏡フレームを撮影することを特徴とする請求項１の眼鏡レンズ加工用装置。
【請求項３】
前記撮像光学系は、前記載置部に載置された眼鏡フレームの左右のテンプルを含む平面の高さよりも上方から前記眼鏡フレームを撮影することを特徴とする請求項１または２の眼鏡レンズ加工用装置。
【請求項４】
前記撮像光学系によって撮影された前記眼鏡フレームの画像データに、眼鏡ごとに設定される作業番号を登録する番号登録手段をさらに備え、
前記情報処理手段は、前記番号登録手段によって作業番号が登録された画像データと、前記玉型取得手段によって取得された玉型データのうち前記番号登録手段によって前記画像データに登録された作業番号と同一の作業番号が登録された玉型データと、を関連付けて前記記憶手段に記憶させることを特徴とする請求項１〜３のいずれかの眼鏡レンズ加工用装置。
【請求項５】
眼鏡レンズ加工用装置において実行される眼鏡レンズ加工用プログラムであって、前記眼鏡レンズ加工用装置のプロセッサによって実行されることで、
眼鏡フレームを撮影するための撮像ステップと、
眼鏡フレームの玉型データを取得する玉型取得ステップと、
前記撮像ステップにおいて撮影された眼鏡フレームの画像データと、前記玉型取得ステップにおいて取得された、眼鏡レンズを加工するために用いられる玉型データとを関連付けて記憶手段に記憶させる情報処理ステップと、を前記眼鏡レンズ加工用装置に実行させることを特徴とする眼鏡レンズ加工用プログラム。
【発明の詳細な説明】
【技術分野】
【０００１】
本開示は、眼鏡レンズを加工するために用いられる眼鏡レンズ加工用装置、および眼鏡レンズ加工用プログラムに関する。
【背景技術】
【０００２】
眼鏡枠形状測定装置等によって取得された眼鏡フレームの玉型データに基づいて、眼鏡レンズの周縁を加工する眼鏡レンズ加工装置が知られている。
【先行技術文献】
【特許文献】
【０００３】
【特許文献１】特開２００８−１３７１０６号公報
【発明の開示】
【発明が解決しようとする課題】
【０００４】
従来において、作業者はファイル名に基づいて玉型データを判別し、眼鏡レンズの加工に用いていた。しかしながら、ファイル名では眼鏡フレームの形状をイメージしづらく、玉型データを間違えて選択してしまう可能性があった。
【０００５】
本開示は、上記の問題点に鑑み、玉型データの扱いを容易にする眼鏡レンズ加工用装置、および眼鏡レンズ加工用プログラムを提供することを技術課題とする。
【課題を解決するための手段】
【０００６】
上記課題を解決するために、本開示は以下のような構成を備えることを特徴とする。
【０００７】
（１）  眼鏡レンズ加工用装置であって、眼鏡フレームを撮影するための撮像光学系と、眼鏡フレームの玉型データを取得する玉型取得手段と、前記撮像光学系によって撮影された眼鏡フレームの画像データと、前記玉型取得手段によって取得された、眼鏡レンズを加工するために用いられる玉型データとを関連付けて記憶手段に記憶させる情報処理手段と、を備えることを特徴とする。
（２）  眼鏡レンズ加工用装置において実行される眼鏡レンズ加工用プログラムであって、前記眼鏡レンズ加工用装置のプロセッサによって実行されることで、眼鏡フレームを撮影するための撮像ステップと、眼鏡フレームの玉型データを取得する玉型取得ステップと、前記撮像ステップにおいて撮影された眼鏡フレームの画像データと、前記玉型取得ステップにおいて取得された、眼鏡レンズを加工するために用いられる玉型データとを関連付けて記憶手段に記憶させる情報処理ステップと、を前記眼鏡レンズ加工用装置に実行させることを特徴とする。
【図面の簡単な説明】
【０００８】
【図１】本実施例の眼鏡加工システムの概略図である。
【図２】眼鏡フレームに関する画像の例を示す図である。
【図３】画像ファイルのタグを説明するための図である。
【図４】アプリケーションの操作画面の一例である。
【図５】参照画面を説明するための図である。
【図６】玉型データの共有について説明するための図である。
【図７】本実施例の制御動作を説明するためのフローチャートである。
【図８】エッジャーに撮影ユニットを設けた場合の外観図である。
【発明を実施するための形態】
【０００９】
＜第１実施形態の概要＞
以下、第１実施形態に係る眼鏡レンズ加工用装置の概要を図面に基づいて説明する。本実施形態の眼鏡レンズ加工用装置（例えば、端末装置１０，共有サーバ３０）は、例えば、眼鏡レンズを加工する際に用いられてもよい。眼鏡レンズ加工用装置は、例えば、玉型取得部（例えば、制御部１３，制御部３１）と、画像取得部（例えば、端末装置１０）と、情報処理部（例えば、制御部１３，制御部３１）を主に備える。
【００１０】
玉型取得部は、例えば、眼鏡フレームの玉型データを取得する。玉型取得部は、例えば、測定部を備え、玉型データを測定部によって測定してもよいし、または、外部の玉型測定装置から玉型データを読み出してもよい。
【００１１】
玉型データを測定する方法としては、例えば、眼鏡フレームのリムに測定子を沿わせて玉型データを測定する方法が挙げられる。また、例えば、デモレンズ等を撮影することよって玉型を特定し、特定された玉型データを記憶部に記憶された玉型データを読み出してもよい。また、設計データ等を玉型データとして用いてもよい。
【００１２】
画像取得部は、例えば、眼鏡フレームに関する画像データを取得する。眼鏡フレームに関する画像データとは、例えば眼鏡フレームの少なくとも一部の形状を示す画像データでもよい。眼鏡フレームに関する画像データとは、例えば、眼鏡フレームの写真，眼鏡フレームのグラフィック，眼鏡フレームの玉型データに基づいて作成されたグラフィックでもよい。眼鏡フレームに関する画像データは、２次元画像データであってもよいし、３次元画像データであってもよい。眼鏡フレームに関する画像データは、静止画像であってもよいし、動画像であってもよい。例えば、動画の場合、眼鏡フレームを撮影した動画，眼鏡フレームの玉型データを用いて眼鏡レンズを加工する様子を撮影した動画であってもよい。さらに、眼鏡フレームの特徴，眼鏡レンズの加工方法等を解説した音声付の動画であってもよい。
【００１３】
情報処理部は、例えば、玉型取得部によって取得された玉型データを、画像取得部によって取得された画像データに格納し、玉型データを格納した画像データである玉型データ付画像データを記憶部（例えば、メモリ２１，メモリ３２など）に記憶させてもよい。情報処理部は、例えば、画像データに定義された情報領域に玉型データを格納してもよい。例えば、画像データに定義されたタグ、または画像データに記録される順序によって識別される情報領域に玉型データを格納してもよい。
【００１４】
なお、情報処理部は、記憶部に記憶された玉型データ付画像データから玉型データを抽出してもよい。そして、情報処理部は、抽出された玉型データを眼鏡レンズ加工装置に送信してもよい。ここで、眼鏡レンズ加工装置とは、例えば、眼鏡レンズの周縁を加工する装置であってもよい。例えば、情報処理部は、玉型データ付画像データから玉型データを抽出し、眼鏡レンズ加工装置に読み込めるファイル形式に復元してもよい。
【００１５】
なお、眼鏡レンズ加工用装置は、表示制御部（例えば、制御部１３など）と、選択指示受付部（例えば、制御部１３，操作部１２など）と、をさらに備えてもよい。表示制御部は、例えば、記憶部に記憶された玉型データ付画像データを表示部（例えば、表示部１１）に表示させてもよい。選択指示受付部は、例えば、表示制御部によって表示部に表示された玉型データ付画像データのうち、少なくとも一つの玉型データ付画像データが選択された選択指示を受け付けてもよい。
【００１６】
この場合、情報処理部は、選択指示受付部によって受け付けた選択指示において選択された玉型データ付画像データから玉型データを抽出してもよい。
【００１７】
なお、眼鏡レンズ加工用装置は、加工条件取得部（例えば、制御部１３など）をさらに備えてもよい。加工条件取得部は、例えば、玉型データを用いて眼鏡レンズを加工するときの加工条件を取得してもよい。この場合、情報処理部は、加工条件取得部によって取得された加工条件を画像データに格納してもよい。これによって、ユーザは、画像データを確認することによって、その眼鏡フレームに適した加工条件を確認できる。
【００１８】
なお、眼鏡レンズ加工用装置は、評価情報取得部（例えば、制御部１３，操作部１２など）をさらに備えてもよい。評価情報取得部は、例えば、玉型データに対するユーザからの評価情報を取得してもよい。この場合、情報処理部は、評価情報取得部によって取得された玉型データの評価情報を画像データに格納してもよい。これによって、ユーザは、評価を見て適した玉型を選択できる。
【００１９】
なお、眼鏡レンズ加工用装置は、眼鏡枠形状測定装置（例えば、トレーサー４）と、眼鏡レンズ加工装置（例えば、レンズエッジャー５）とによって眼鏡レンズ加工システムとして機能してもよい。眼鏡枠形状測定装置は、例えば、眼鏡フレームの玉型を測定し、眼鏡フレームの玉型データを取得する。眼鏡レンズ加工装置は、例えば、眼鏡レンズの周縁を加工してもよい。眼鏡レンズ加工システムは、例えば、上記のような画像取得部と、情報処理部と、を備えてもよい。画像取得部は、例えば、眼鏡フレームに関する玉型データを取得してもよい。情報処理部は、例えば、眼鏡枠形状測定装置によって取得された玉型データを、画像処理部によって取得された画像データに格納してもよい。そして、情報処理部は、玉型データを格納した画像データである玉型データ付画像データを記憶部に記憶させてもよい。さらに、情報処理部は、記憶部に記憶させた玉型データ付画像データから玉型データを抽出し、抽出された玉型データを眼鏡レンズ加工装置に送信してもよい。
【００２０】
なお、眼鏡レンズ加工用装置として端末装置（例えば、端末装置１０）が用いられてもよい。例えば、端末装置は、記憶部（例えば、メモリ２１）と、情報処理部（例えば、制御部１３）と、表示制御部（例えば、制御部１３）と、転送部（例えば、制御部１３）を主に備えてもよい。記憶部は、例えば、眼鏡フレームの玉型データを記憶する。情報処理部は、例えば、眼鏡フレームの玉型データおよび眼鏡フレームに関する画像データを記憶するデータサーバ（例えば、データ共有サーバ３０）から、玉型データおよび画像データを互いに関連付けて記憶部に記憶させてもよい。表示制御部は、例えば、情報処理部によって記憶部に記憶された画像データを表示部に表示させてもよい。転送部は、例えば、表示部に表示された画像データに関連付けられた玉型データを眼鏡レンズ加工装置に転送してもよい。
【００２１】
なお、眼鏡レンズ加工用装置は、データサーバであってもよいし、端末装置であってもよい。例えば、データサーバが眼鏡フレームの画像データに玉型データを格納してもよいし、または端末装置が画像データに玉型データを格納してもよい。
【００２２】
なお、眼鏡レンズ加工用装置（例えば、端末装置、眼鏡レンズ加工装置、眼鏡枠形状測定装置、カップ取付装置、眼鏡レンズ測定装置）は、玉型データ付画像データから玉型データを抽出してもよい。例えば、眼鏡レンズ加工装置は、玉型データ付画像データから玉型データを抽出してもよい。そして抽出した玉型データに基づいて眼鏡レンズを加工してもよい。
【００２３】
なお、端末装置またはデータサーバは、眼鏡レンズ加工装置、または眼鏡枠形状測定装置などと一体であってもよい。例えば眼鏡レンズ加工装置、眼鏡枠形状測定装置などが眼鏡レンズ加工用装置として機能してもよい。
【００２４】
＜第２実施形態の概要＞
以下、第２実施形態に係る眼鏡レンズ加工用システムの概要を図面に基づいて説明する。本実施形態の眼鏡レンズ加工用システム（例えば、眼鏡レンズ加工システム１）は、例えば、眼鏡レンズを加工する際に用いられる。眼鏡レンズ加工用システムは、例えば、データ共有サーバ（例えば、共有サーバ３０）と、複数の端末装置（例えば、端末装置１０）と、を主に備える。データ共有サーバは、例えば、玉型データを記憶するための記憶部（例えば、メモリ３２）を有する。端末装置は、例えば、玉型データをデータ共有サーバに転送する。
【００２５】
データ共有サーバは、例えば、複数の端末装置のうち、一つの端末装置から通信ネットワークを介して玉型データを受信し、受信された玉型データを他の端末装置に転送してもよい。これによって、眼鏡レンズ加工用システムは、複数の端末装置の間で玉型データを共有化してもよい。
【００２６】
なお、データ共有サーバは、複数の端末装置と周期的に通信してもよい。そして、複数の端末装置のうち、一つの端末装置から通信ネットワークを介して新たな玉型データを受信し、受信した新たな玉型データと既に記憶部に記憶された玉型データとを比較し、その比較結果に応じて、自身の玉型データを更新し、更新された玉型データを通信ネットワークを介して他の端末装置に転送してもよい。これによって、データ共有サーバは、複数の端末装置の間で玉型データを同期化してもよい。
【００２７】
なお、複数の端末装置は、情報取得部（例えば、制御部１３）をさらに備えてもよい。情報取得部は、例えば、玉型データを用いて加工された眼鏡レンズを眼鏡フレームに枠入れしたときのフィッティングを評価した評価情報を取得してもよい。この場合、データ共有サーバは、上記のように、情報取得部によって取得された評価情報を受信し、他の端末装置に転送することによって複数の端末装置の間で評価情報を共有化してもよい。
【００２８】
なお、情報取得部は、例えば、玉型データを用いて眼鏡レンズを加工するときの加工条件を取得してもよい。この場合、データ共有サーバは、上記のように、情報取得部によって取得された加工条件を受信し、他の端末装置に転送することによって複数の端末装置の間で加工条件を共有化してもよい。
【００２９】
なお、情報取得部は、例えば、眼鏡フレームの色及び形状の少なくともいずれかによって分類される分類情報を取得してもよい。この場合、データ共有サーバは、上記のように、情報取得部によって取得された分類情報を受信し、他の端末装置に転送することによって複数の端末装置の間で分類情報を共有化してもよい。
【００３０】
なお、端末装置、例えば、送信部（例えば、制御部１３）と、受信部（例えば、制御部１３）とを備えてもよい。送信部は、例えば、玉型データをデータ共有サーバに送信してもよい。受信部は、例えば、データ共有サーバから玉型データを受信してもよい。
【００３１】
端末装置は、例えば、他の端末装置が送信部によってデータ共有サーバに送信した玉型データを、受信部によってデータ共有サーバから受信してもよい。これによって、端末装置は、玉型データを他の端末装置と共有化してもよい。
【００３２】
なお、端末装置は、例えば、他の端末装置の記憶部に記憶された玉型データを受信部によって受信してもよい。例えば、端末装置はデータ共有サーバとして機能してもよい。
【００３３】
なお、複数の端末装置が、一つの端末装置を介してデータ共有サーバと接続されてもよい。これによって、データ共有サーバに記憶された玉型データを、一つの端末装置を介して複数の端末装置の間で共有化してもよい。
【００３４】
＜第３実施形態の概要＞
以下、第３実施形態に係る眼鏡レンズ加工用装置の概要を説明する。本実施形態の眼鏡レンズ加工用装置（例えば、眼鏡レンズ加工装置、眼鏡枠形状測定装置）は、眼鏡レンズを加工する際に用いられる。眼鏡レンズ加工用装置は、例えば、撮像光学系（例えば、撮像光学系６１）と、玉型取得部（例えば、制御部５０１）と、情報処理部（例えば、制御部５０１）を主に備える。撮像光学系は、例えば、眼鏡フレームを撮影する。玉型取得部は、例えば、眼鏡フレームの玉型データを取得する。情報処理部は、例えば、撮像光学系によって撮影された眼鏡フレームの画像データと、玉型取得部によって取得された玉型データとを関連付けて記憶部に記憶させてもよい。これによって、ユーザは、玉型データがどのような形状であるかを、関連付けられた画像データによって確認することができる。
【００３５】
なお、眼鏡レンズ加工用装置は、さらに載置部（例えば、載置台６２、支持部６３）を備えてもよい。載置部は、例えば、眼鏡フレームを載置してもよい。この場合、撮像光学系は、載置部に載置された眼鏡フレームを撮影してもよい。
【００３６】
なお、撮像光学系は、載置部に載置された眼鏡フレームの左右のテンプルを含む面の高さよりも上方から眼鏡フレームを撮影してもよい。これによって、撮像光学系は、眼鏡フレームの玉型の形状だけでなく、テンプルの形状等も撮影できる。
【００３７】
なお、撮像光学系は、例えば、載置部に載置された眼鏡フレームの左右対称軸を含む平面に対して、左右いずれかに傾斜した撮像光軸を有してもよい。
【００３８】
なお、眼鏡作製用装置は、さらに背景部材（例えば、背景部材６４）を備えてもよい。背景部材は、例えば、撮像光学系に対して、載置部に載置された眼鏡フレームよりも後方に配置され、被検者の背景として眼鏡フレームとのコントラストを高める背景色を形成してもよい。
【００３９】
なお、眼鏡レンズ加工用装置は、さらに番号登録部（例えば、制御部５０１）を備えてもよい。番号登録部は、例えば、撮像光学系によって撮影された眼鏡フレームの画像データに、眼鏡ごとに設定される作業番号を登録してもよい。この場合、情報処理部は、番号登録部によって作業番号が登録された画像データと、玉型取得部によって取得された玉型データのうち番号登録部によって画像データに登録された作業番号と同一の作業番号が登録された玉型データと、を関連付けて記憶部に記憶させてもよい。これによって画像データと玉型データの食い違いを防ぐことができる。
【００４０】
例えば、眼鏡レンズ加工用装置は被検者のアイポジションを測定するアイポジション測定装置であってもよい。この場合、撮像光学系は、アイポジションを測定するために被検者を撮影するための測定光学系と兼用されてもよい。
【００４１】
また、眼鏡レンズ加工用装置は、測定子を有し、測定子によって眼鏡フレームの玉型形状を測定するための眼鏡枠形状測定装置であってもよい。
【００４２】
また、眼鏡レンズ加工用装置は、眼鏡レンズを載置するレンズ載置台と、レンズ載置台に載置された眼鏡レンズにカップを取り付けるためアームと、を備えるカップ取り付け装置であってもよい。
【００４３】
また、眼鏡レンズ加工用装置は、レンズ加工部を備え、レンズ加工部によって眼鏡レンズの周縁を加工するための眼鏡レンズ加工装置であってもよい。
【００４４】
＜実施例＞
以下、本開示に係る眼鏡レンズ加工システムの実施例について説明する。図１に示す眼鏡レンズ加工システム１は、レンズメータ２と、ブロッカー３と、トレーサー４と、レンズエッジャー５と、情報処理端末（以下、端末と略す場合がある）１０を主に備える。また、眼鏡レンズ加工システム１は、共有サーバ３０を備えてもよい。共有サーバ３０は、例えば、制御部３１とメモリ３２等を備えてもよい。例えば、レンズメータ２、ブロッカー３、トレーサー４、レンズエッジャー５、端末１０、共有サーバ３０は、互いに通信ネットワークを介して接続されていてもよい。通信ネットワークは、例えば、有線であってもよいし、無線であってもよい。
【００４５】
レンズメータ２は、例えば、眼鏡レンズの光学中心等を測定するための装置である。例えば、レンズメータ２は、測定光学系（例えば、シャックハルトマン光学系等）６を備え、眼鏡レンズの光学中心を測定する。さらにレンズメータ２は印点機構７を備えてもよく、測定光学系６によって測定された光学中心に印点を施してもよい。
【００４６】
ブロッカー３は、眼鏡レンズにカップを取り付ける装置である。このカップは、レンズエッジャー５によって眼鏡レンズを保持するための治具として用いられる。例えば、ブロッカー３はレンズメータ２によって眼鏡レンズの光学中心に施された印点を基準として眼鏡レンズにカップを取り付ける。ブロッカー３は、例えばカメラ８を備え、自動で印点を検出してカップを取り付けてもよいし、ユーザが印点の位置をスケールに合わせてカップを取り付けてもよい。
【００４７】
トレーサー４は、眼鏡フレームの玉型形状を測定するための装置である。例えば、トレーサー４は、制御部４０１，メモリ４０２を備える。例えば、トレーサー４は、眼鏡フレームのリムに図示無き測定子を沿わせ、測定子の軌道に基づいて眼鏡フレームの玉型形状を測定してもよい。
【００４８】
レンズエッジャー（以下、エッジャーと略す）５は、例えば、眼鏡レンズの周縁を眼鏡フレームの玉型形状に加工するための装置である。エッジャー５は、例えば、制御部５０１，メモリ５０２等を備えてもよい。エッジャー５は、砥石およびカッターの少なくともいずれかのレンズ加工手段を備え、トレーサー４によって取得された眼鏡フレームの玉型データに基づいて眼鏡レンズの周縁を加工する。
【００４９】
＜端末装置＞
端末１０は、例えば、眼鏡を作製するための情報をユーザが管理するために用いられる。端末１０は、例えば、表示部１１と、操作部１２と、制御部１３と、内蔵カメラ２０、メモリ２１等を備えてもよい。表示部１１は、例えば、眼鏡を作製するための情報をユーザに呈示する。例えば表示部１１は、眼鏡フレームを写真撮影した画像、眼鏡フレームのグラフィック画像、および玉型データのグラフィック画像等を表示する。操作部１２は、例えば、ユーザの操作に基づいて端末１０の制御部１３等に操作信号を出力する。なお、本実施例の表示部１１は、タッチパネル式のディスプレイが用いられ、操作部１２と兼用される。もちろん、表示部１１は、タッチパネル式でなくともよい。この場合、例えば操作部１２は各種スイッチを備え、ユーザの操作を受け付けてもよい。内蔵カメラ２０は、図示無き撮像素子を備え、眼鏡フレームの画像等を撮影するために用いられる。
【００５０】
本実施例の端末１０には、例えば、画像データに玉型データを格納するためのアプリケーションがインストールされている。例えば制御部１３は、アプリケーションを実行し、画像データに玉型データを格納する。玉型データを格納する画像データとしては、例えば、眼鏡フレームの写真，眼鏡フレームの玉型データに基づいて作成されたグラフィック等の眼鏡フレームの形状を認識できる情報が含まれる画像が用いられる（図２（ａ）（ｂ）参照）。
【００５１】
画像データのファイルフォーマットとしては、例えば、主画像、サムネイル画像、および撮影情報等の画像属性情報を所定の形式で記録したＥｘｉｆ（Ｅｘｃｈａｎｇｅａｂｌｅ Ｉｍａｇｅ Ｆｉｌｅ Ｆｏｒｍａｔ）規格等が知られている。例えば、Ｅｘｉｆ規格のファイルにおいて、画像属性情報は、ＩＦＤというツリー上のディレクトリ内に格納されている。Ｅｘｉｆ規格で、このＩＦＤのうちの１つであるＥｘｉｆＩＦＤの領域内には、ＭａｋｅｒＮｏｔｅというタグが定義されており、メーカーは、このＭａｋｅｒＮｏｔｅタグに、独自の情報を記録してもよい。
【００５２】
一般的に画像データには、上記のＭａｋｅｒＮｏｔｅタグのようなユーザ情報に関する情報領域が定義されている場合がある。上記のようなユーザ情報に関するタグはユーザが自由に使用でき、格納するデータ形式は自由である場合が多い。例えば、JEPGであればＭａｋｅｒＮｏｔｅ、PNGであれば私用チャンク等と呼ばれるタグが定義される。他の画像フォーマットにおいても同様のタグが定義される場合が多い。
【００５３】
制御部１３は、例えば、上記のタグのような情報領域に眼鏡フレームの玉型データを格納する。玉型データは、例えば、玉型の枠中心を原点とした動径情報である。制御部１３は、図３に示すように、画像データに定義されたタグに玉型データを格納する。例えば、制御部１３は、画像データのフォーマットごとに定められたタグ番号によって所望のタグを呼び出し、呼び出したタグに玉型データを書き込む。こうすることで、制御部１３は玉型データが格納された画像データを作成することができる。
【００５４】
さらに、制御部１３は、アプリケーションを実行することによって画像データに格納された玉型データを抽出することができる。例えば、制御部１３は、玉型データが格納されたタグを呼び出し、格納された玉型データをエッジャー５が読み込めるファイル形式に玉型データを出力する。
【００５５】
＜玉型データの格納・抽出＞
以下、玉型データを画像データに格納・抽出するときのアプリケーションの操作について説明する。制御部１３は、ユーザの操作に基づいて操作部１２から出力された操作信号に基づいて、画像データに玉型データを格納、または抽出の少なくともいずれかを行う。まず、画像データに玉型データを格納する場合の操作について説明する。図４は、アプリケーションを起動したときに表示部１１に表示される画面の一例である。表示部１１には、例えば、画像選択ボタン１４と、画像データ欄１５と、玉型選択ボタン１６と、玉型データ欄１７と、玉型格納ボタン１８と、玉型抽出ボタン１９等が表示される。画像選択ボタン１４は、玉型データを格納する画像データを選択する場合に選択するボタンである。画像データ欄１５は、選択された画像のファイル名および画像等が表示される欄である。玉型選択ボタン１６は、例えば、画像データに格納する玉型データを選択する場合に選択するボタンである。玉型データ欄１７は、選択された玉型のファイル名が表示される欄である。玉型格納ボタン１８は、選択された画像データに選択された玉型データを格納する。玉型抽出ボタン１９は、選択された玉型データ付画像データから玉型データを抽出する場合に選択するボタンである。
【００５６】
まずユーザは、操作部（ここではタッチパネル）１２によって画像選択ボタン１４を選択する。画像選択ボタン１４が選択されると、制御部１３は画像参照画面２２を表示させる（図５（ａ）参照）。ユーザは、例えば端末１０の内蔵カメラ２０等によって撮影した眼鏡フレームの画像データの保存場所を画像参照画面２２によって参照し、保存された眼鏡フレームの画像データを選択する。眼鏡フレームの画像データが選択されると、制御部１３は画像データ欄１５に画像データのファイル名および画像等を表示する（図４参照）。続いてユーザは、操作部１２によって玉型選択ボタン１６を選択する。玉型選択ボタン１６が選択されると、制御部１３は玉型参照画面２３を表示させる（図５（ｂ）参照）。ユーザは、例えばトレーサー４等によって取得された眼鏡フレームの玉型データの保存場所を玉型参照画面２３によって参照し、保存された眼鏡フレームの玉型データを選択する。眼鏡フレームの玉型データが選択されると、制御部１３は玉型データ欄１７に玉型データのファイル名を表示する。なお、制御部１３は、玉型データの形状をユーザに確認させるために、選択された玉型データのグラフィック画像を表示部１１に表示させてもよい。
【００５７】
ユーザは眼鏡フレームの画像データと玉型データが選択されると、操作部１２によって玉型格納ボタン１８を選択する。玉型格納ボタン１８が選択されると制御部１３は、選択された画像データのタグに、選択された玉型データを格納する。
【００５８】
次に、画像データから玉型データを抽出する場合の操作について説明する。ユーザは、例えば操作部１２によって画像選択ボタン１４を選択する。画像選択ボタン１４が選択されると、制御部１３は画像参照画面２２を表示させる。ユーザは、例えば玉型データが格納された玉型データ付画像データの保存場所を画像参照画面２２によって参照し、保存された玉型データ付画像データを選択する。このとき、ユーザは、サムネイル画像を参考にして画像データを選んでもよい。玉型データ付画像データが選択されると、制御部１３は画像データ欄１５に玉型データ付画像データのファイル名および画像等を表示する。ユーザは玉型データ付画像データを選択すると、操作部１２によって玉型抽出ボタン１９を操作する。玉型抽出ボタン１９が操作されると、例えば制御部１３は選択された玉型データ付画像データのタグに格納された玉型データを抽出し、出力先に設定されたフォルダに玉型データを出力する。
【００５９】
以上のように、制御部１３は、玉型データが格納された玉型データ付画像データを作成することができる。これによって、制御部１３は、玉型データを画像データとして管理することができる。従来のように玉型データを管理する場合、ユーザは玉型の型番などが入力されたファイル名等で玉型を判断していた。しかしながら、ファイル名で玉型の形状をイメージすることは難しく、ユーザは所望の玉型データを探すことが難しかった。
【００６０】
そこで、本実施例のように玉型データを画像データに格納することによって、玉型データを画像データとともに扱うことができる。そのため、ユーザは玉型データのファイル名で玉型の形状をイメージできなくとも、画像データを確認することによって玉型データの形状を把握することができる。従って、制御部１３は、ユーザが玉型データの選択をミスすることを低減させることができる。
【００６１】
なお、上記のように、画像データのフォーマットによっては、画像データの縮小版（サムネイル）を格納するためのタグが用意され、元の画像データのサムネイル画像が自動で格納される。このような場合、ユーザは図５（ａ）のようにファイル一覧画面でサムネイル画像を見ながら、作成する眼鏡フレームの玉型データを探すことができ、わざわざ画像データのファイルを開く手間が省ける。
【００６２】
なお、制御部１３は、玉型データだけでなく、その他の情報を画像データに格納してもよい。例えば、制御部１３は、玉型データの取得に用いたトレーサー４の固体情報（例えば、トレーサー４のメーカー、機種、型番等）を格納してもよい。例えば、トレーサー４のメーカー，機種等によって、同じ眼鏡フレームを測定した場合でも玉型データが異なる場合がある。したがって、トレーサー４の情報が画像に格納されていれば、ユーザはトレーサー４のメーカー，機種等を参考にして所望の眼鏡レンズの玉型データを選択することができる。
【００６３】
さらに制御部１３は、眼鏡フレームの色情報を画像データに格納してもよい。例えば、同じ型番の眼鏡フレームであっても眼鏡フレームの色によって玉型の形状が微妙に異なる場合がある。眼鏡フレームのモノクロ写真，玉型形状のグラフィック等の眼鏡フレームの色が反映されない画像データに玉型データを格納した場合、眼鏡フレームの色が分からなくなる。このため、画像データのタグに眼鏡フレームの色情報を格納してもよい。そして、制御部１３は、例えば玉型形状のグラフィック画像を表示部１１に表示する際に色情報を表示させる。これによって、ユーザは、玉型形状のグラフィックの画像データと、その画像データに格納された色情報を確認した上で、玉型データを選択することができる。
【００６４】
なお、制御部１３は、画像データのタグに玉型データの評価情報を格納してもよい。例えば制御部１３は、眼鏡作製後、眼鏡レンズをフレームに枠入れしたときのフィッティングの評価をユーザの操作部１２への入力に基づいて画像データのタグに格納してもよい。これによって、ユーザは、画像データに格納された評価情報を参考に玉型データを選択することができる。
【００６５】
なお、制御部１３は、加工条件をタグに格納してもよい。例えば上記のように、画像データに格納された玉型データの評価が高い場合であっても、評価されたときと同じ条件で加工された場合とそうでない場合とで、仕上がりが異なる可能性がある。このような場合、評価された玉型データに基づいて眼鏡レンズを加工したときの加工条件が画像データに格納されることによって、再度同じ玉型データを用いて眼鏡レンズを加工する場合であっても、評価時と同様の仕上がりで加工できる。
【００６６】
玉型データの加工条件としては、例えば、レンズカーブ，レンズの厚さ，レンズの材質等の使用したレンズに関する情報、レンズエッジャーのメーカー，機種，型番、等の使用したレンズエッジャーに関する情報、眼鏡レンズの加工方法・加工動作等が挙げられる。ここで、加工動作とは、例えば、眼鏡レンズを挟持するレンズチャック軸と、加工工具との相対的な動作である。
【００６７】
なお、玉型データを格納するタグは、メーカーノートでなくてもよい。例えば、制御部１３は画像の撮影日が格納されるタグ，コメント等を格納するタグ等に、上記のような玉型データに関する情報を格納してもよい。
【００６８】
なお、玉型データを格納するタグは、画像フォーマットによって定義されたタグに限らず、アプリケーションによって画像に付加されたタグであってもよい。例えば、制御部１３は、アプリケーションを実行することによって、画像データにタグを付加してもよい。そして制御部１３は、画像データに付加されたタグに画像データを付加してもよい。制御部１３は、画像データに付加したタグに玉型データを格納する。さらに制御部１３は、画像データに付加したタグに玉型データを収納してもよい。
【００６９】
なお、例えばビットマップ形式の画像データのようにタグが定義されていない場合もある。このような場合は、画像データに独自の情報領域を定義し、玉型データを格納してもよい。例えば、画像データに記録する順序によって玉型データを格納するための情報領域が識別されてもよい。
【００７０】
＜システム全体の制御動作＞
以下、図６に示すように、複数の眼鏡店（例えば、ショップＡ，ショップＢなど）の眼鏡レンズ加工システムにおいて、他の店舗と玉型データを共有して眼鏡レンズを加工するときの制御動作を図７のフローチャートに基づいて説明する。ここで、図６の例では、ショップＡでトレースされた眼鏡フレームの玉型データを共有して、ショップＢで眼鏡レンズを加工する場合について示している。
【００７１】
まず、ショップＡにおいて、端末１０の制御部１３は、眼鏡フレームの画像データを取得する（ステップ１−１）。例えば、制御部１３は、ユーザが端末１０の内蔵カメラ２０を用いて撮影した眼鏡フレームの画像を取得してもよい。制御部１３は、内蔵カメラ２０によって取得された眼鏡フレームの画像をメモリ２１に保存してもよい。
【００７２】
続いて、制御部１３は、眼鏡フレームの玉型データを取得する（ステップ１−２）。例えば、制御部１３は、ユーザがトレーサー４を用いて眼鏡フレームをトレースして測定された玉型データを取得してもよい。トレーサー４の制御部４０１は、セットされた眼鏡フレームをトレースし、眼鏡フレームの玉型データをメモリ４０２に保存する。さらに制御部４０１は、トレースした玉型データをエッジャー５に送信する。エッジャー５の制御部５０１は玉型データを受信すると、メモリ５０２に保存する。
【００７３】
例えば、端末１０は、無線（有線でもよい）等の通信手段によってトレーサー４のメモリ４０２にアクセスし、眼鏡フレームの玉型データを取得してもよい。玉型データが取得されると、前述のようにユーザはアプリケーションを用いて画像データと玉型データを選択し、格納ボタン１９を押す。制御部１３は操作部１２からの操作信号を受け付け、選択された眼鏡フレームの画像データにトレーサー４から取得した玉型データを格納する（ステップ１−３）。
【００７４】
玉型データを格納した画像データ（以下、玉型データ付画像データともいう）は、端末１０から共有サーバ（例えば、クラウドサーバ）３０へ送信され（ステップ１−４）、メモリ３２に保存される。共有サーバ３０への保存は制御部１３が自動で行ってもよいし、ユーザが手動で行ってもよい。端末１０は共有サーバ３０と同期しており、端末１０が玉型データ付画像データを取得すると、自動的に共有サーバ３０に送信してもよい。また、共有サーバの制御部３１が端末１０から自動的に玉型データ付画像データを取得してもよい。
【００７５】
ユーザは、例えば、レンズメータ２によって生地レンズの光学中心を求め、インクペン等によってマークを付ける。そして、ユーザは、例えば、ブロッカー３を使用し、レンズメータ２によってマークされた光学中心に対して所定の位置にカップを取り付ける。カップは、例えば、両面テープによってレンズに取り付けられる。カップは、レンズをエッジャー５で加工するときの治具として用いられる。ユーザは、レンズメータ２、ブロッカー３によってカップが取り付けられた眼鏡レンズをエッジャー５にセットする。エッジャー５は、トレーサー４から受信した玉型データに基づいて、セットされた眼鏡レンズの周縁を加工する。
【００７６】
ユーザは、加工された眼鏡レンズを眼鏡フレームに枠入れする。ユーザは、眼鏡レンズを眼鏡フレームに枠入れしたときのフィッティングを確認する。例えば、フィッティングが良好であった場合、ユーザは端末１０を操作し、今回用いた玉型データに高い評価値をつけてもよい。例えば、ユーザは玉型データ付画像データの情報領域にフィッティングに応じて玉型データの評価レベルを入力してもよい。ユーザによって玉型が評価されると、評価情報は、共有サーバ３０と同期され、共有サーバ３０上の玉型データにも評価情報が反映されてもよい。
【００７７】
次に、ショップＢにおいてトレーサー４を用いずに眼鏡を作製する場合、ユーザは、端末１０を用いて共有サーバ３０にアクセスし玉型データ付画像データを取得する（ステップ２−１）。例えば、ユーザは端末１０を用いて共有サーバ３０にアクセスし、作成する眼鏡の眼鏡フレームの玉型データを探す。この場合、上記のように玉型データは画像データに格納されているため、ユーザは画像データを確認しながら所望の眼鏡フレームを探す。
【００７８】
なお、同じ眼鏡フレームの玉型データが複数存在する場合、ユーザは、例えば玉型データの評価情報に基づいて玉型データを選んでよい。例えば、ユーザは、所望の眼鏡フレームの中で一番評価が高い玉型データが格納された玉型データ付画像データをダウンロードしてもよい。また、共有サーバ３０は、各玉型データのダウンロード数をユーザに呈示してもよい。これによって、ユーザはダウンロード数が多く、人気のある玉型データを取得してもよい。
【００７９】
制御部１３は、取得された玉型データ付画像データから玉型データを抽出し（ステップ２−２）、エッジャー５に送信する（ステップ２−３）。エッジャー５は、玉型データを受信し、セットされた眼鏡レンズの周縁を加工する（ステップ２−４）。
【００８０】
エッジャー５による眼鏡レンズの加工が終了すると、ユーザは、エッジャー５から眼鏡レンズを取り出し、眼鏡フレームに枠入れする。ユーザは、眼鏡レンズを眼鏡フレームに枠入れするときのフィッティングを確認し、端末１０によって玉型データの評価値を記録してもよい。ユーザに記録された玉型データの評価値は、共有サーバ３０の制御部３１によって同期され、共有されてもよい。なお、共有サーバ３０は、各ユーザから入力された評価値をまとめて記憶してもよい。例えば、共有サーバ３０は、各ユーザからの評価値の平均を算出し、その平均値を玉型データの評価情報として記憶してもよい。
【００８１】
このように、端末１０を用いて共有サーバ３０から玉型データを取得することによって、トレーサー４を用いることなく眼鏡レンズを加工することができる。さらに、トレーサー４のデータを他のユーザと共有できることによって、複数の玉型データを取得することができる。さらに、共有サーバ３０にアップされている玉型データを評価できることによって、玉型データが複数ある場合でも評価を比較することで、より良好な玉型データを取得することができる。
【００８２】
なお、例えば、共有データを統括する共有サーバ３０等は、共有された玉型データ付画像データを分類して管理してもよい。例えば、眼鏡店の店舗、眼鏡フレームのメーカー，色，形状（２ポイント，リムレスなど）等に分類して玉型データ付画像データを管理してもよい。例えば、共有サーバ３０等の制御部３１は、玉型データ付画像データに記録された店舗、メーカー，色，形状等の情報を読み出して分類してもよい。このように、玉型データ付画像データが分類して管理されることによって、ユーザは所望の玉型データ付画像データを見つけやすい。
【００８３】
なお、以上の説明において、共有サーバ３０を用いて玉型データ付画像データを共有するように説明したが、これに限らない。例えば、ウェブ上にアップロードされた玉型データ付画像データをダウンロードすることによって共有してもよい。この場合、ダウンロードした玉型データ付画像データから玉型データを抽出してもよい。
【００８４】
なお、以上の説明において、眼鏡フレームの画像データを端末１０等の内蔵カメラ２０で撮影するとしたが、これに限らない。例えば、アイポジションメータ、トレーサー４、ブロッカー３、エッジャー５、レンズメータ２、レフラクトメータ等の眼鏡作製時に用いられる機器に眼鏡フレームを撮影するための撮影ユニットを設け、眼鏡フレームの画像データを取得してもよい。アイポジションメータは、例えば、眼鏡を装用した被検者を撮影して、眼鏡を作製するための眼鏡装用パラメータ（瞳孔間距離、フレーム瞳孔間距離（フレームＰＤ）、アイポイント高さ、遠用ＰＤ、近用ＰＤ）を測定する装置である。
【００８５】
例えば図８は、エッジャー５に撮影ユニット６０を設けたときの例である。撮影ユニット６０は、例えば、眼鏡フレームを所定の方向から撮影するための撮像光学系６１を備えてもよい。
【００８６】
さらに、撮影ユニット６０は、眼鏡フレームを載置するための載置台６２を備えてもよい。載置台６２は、例えば、撮像光学系の撮像光軸に対して眼鏡フレームを所定の方向に支持する支持部６３を備えてもよい。撮影ユニットは、例えば、載置台６２の支持部６３によって支持された眼鏡フレームを所定の方向から撮影してもよい。例えば、撮影ユニット６０は、例えば、眼鏡フレームの形状が視認しやすい方向から眼鏡フレームを撮影してもよい。眼鏡フレームの形状が視認しやすい方向とは、例えば、眼鏡フレームの左右対称軸を含む平面に対して、左右いずれかの方向に傾斜した方向，眼鏡フレームの左右のテンプルを含む面に対して上方に傾斜した方向であってもよい。これによって眼鏡フレームの玉型だけでなくテンプルを含む形状が確認しやすい画像を撮影できる。
【００８７】
さらに、撮影ユニット６０は、眼鏡フレームを撮影する際の背景となる背景部材６４を備えてもよい。背景部材６４は、眼鏡フレームの色が視認しやすいように、眼鏡フレームとのコントラストが高い背景色を形成してもよい。例えば白色で形成されてもよい。
【００８８】
このような撮影ユニット６０を用いることによって、眼鏡フレームの形状，色等を視認しやすい画像を撮影できる。さらに、眼鏡フレームの画像に統一感を持たせることができ、複数の眼鏡フレームの比較を行い易い。
【００８９】
なお、撮影ユニット６０の撮像光学系６１は、他の用途のために備えられた光学系を兼用してもよい。例えば、アイポジションメータ，レフラクトメータ等において、被検者の顔または被検者の前眼部を撮影するための測定光学系が、撮影ユニット６０の撮像光学系６１として兼用されてもよい。また、例えば、レンズメータ，ブロッカーにおいて、眼鏡レンズを測定するための測定光学系が撮影ユニット６０の撮像光学系６１として兼用されてもよい。
【００９０】
なお、画像データに玉型データを格納する際、各眼鏡に設定される作業番号が同一である玉型データと画像データを結合させてもよい。この場合、例えば、ある装用者に対する眼鏡作製作業の開始時にその作業番号を決定する。そしてフレームトレースおよび登録パターンデータの読み出しの少なくともいずれかによって、その作業番号に対応した玉型データが得られる。さらに眼鏡作製用機器に搭載された撮影ユニット６１で眼鏡フレームを撮影する際に作業番号を入力しておくことによって、その作業番号と対応付けられた画像データが得られる。共有サーバ３０および個々の機器等の少なくともいずれかは、作業番号によって関連づけられた玉型データと画像データを結合して特定の場所に保管する。さらに、共有サーバ３０および個々の機器等の少なくともいずれかは、保管されたファイルを共有データとしてウェブサイト，共有サーバ３０などにアップロードしてもよい。
【００９１】
このように、玉型データとそれを格納する画像データが自動的に関連付けられることによって、ユーザが玉型データと画像データを選択して、結合させるという作業を省略できる。さらに、玉型データを別の眼鏡フレームの画像データに格納するというミスを低減できる。
【００９２】
なお、以上の説明において、眼鏡フレームの玉型データを画像データに格納するものとしたが、これに限らない。例えば、穴位置データを画像データに格納してもよい。穴位置データとは、例えば、眼鏡レンズに穴開け加工を施す場合の穴の位置情報である。
【符号の説明】
【００９３】
１  眼鏡レンズ加工システム
２  レンズメータ
３  ブロッカー
４  トレーサー
５  レンズエッジャー
１０  端末装置
１１  表示部
１２  操作部
１３  制御部
２１  メモリ
３０  共有サーバ
３１  制御部
３２  メモリ
６０  撮影ユニット
６１  撮像光学系
【図１】
0006536053.tif 000002
【図２】
0006536053.tif 000003
【図３】
0006536053.tif 000004
【図４】
0006536053.tif 000005
【図５】
0006536053.tif 000006
【図６】
0006536053.tif 000007
【図７】
0006536053.tif 000008
【図８】
0006536053.tif 000009